(57)【要約】【課題】  従来の配管支持用取付部材とは異なる新規な配管支持用取付部材を提供することにある。【解決手段】  配管支持用取付部材１０は、構造体から垂下された吊ボルト９０に配管９５を支持する支持バンド７０を取り付けるため部材である。その構造は、支持バンド７０を組み付ける略コ字形の取付本体１１と、その取付本体１１の上下折曲部１２，１４に吊ボルト９０と係合する係合孔１３，１５と、その取付本体１１の垂直基部１６に係合孔１３，１５へ吊ボルト９０を付勢する付勢材２０とを備える。【選択図】  図１
2010223241.tif 000002
【特許請求の範囲】
【請求項１】
垂下された吊部材に配管を支持する支持バンドを取り付けるための配管支持用取付部材であって、
当該配管支持用取付部材は、支持バンドを組み付ける略コ字形の取付本体と、その取付本体の上下折曲部に吊部材と係合する係合孔と、その取付本体の垂直基部に係合孔へ吊部材を付勢する付勢材とを備え、
当該付勢材は、水平断面略Ｖ字形に形成された弾性体からなり、その反屈曲側の両先端は取付本体の横幅から突出してツマミ部を形成することを特徴とした配管支持用取付部材。
【請求項２】
吊部材と接する側縁は吊部材側へ傾斜して係合部を形成することを特徴とした請求項１記載の配管支持用取付部材。
【請求項３】
当該付勢材は、垂直断面略く字形に形成された弾性体からなり、その上方端部又は／及び下方端部は垂直基部へ固定されるとともに、その頂部を吊部材へ当接させることを特徴とした請求項１記載の配管支持用取付部材。
【請求項４】
吊部材と当接する頂部の上方又は／及び下方延長線上に入れた略コ字形の切れ込みを吊部材側へ折曲して係合部を形成することを特徴とした請求項３記載の配管支持用取付部材。
【請求項５】
当該付勢材は、係合孔へ挿通された吊部材を保持する第１湾曲部と保持した吊部材を係合孔へ付勢する第２湾曲部とを有する弾性体からなることを特徴とした請求項１記載の配管支持用取付部材。
【請求項６】
請求項１から５のいずれかに記載の配管支持用取付部材に支持バンドを組み付けたことを特徴とする配管支持具。
【請求項７】
垂下された吊部材に配管を支持する支持バンドを取り付けるための配管支持用取付部材と支持バンドの組み付け状態を維持するための配管支持具用ロック機構であって、
当該ロック機構は、配管支持用取付部材に形成された支持バンド組付用の組付孔へ挿入する支持バンドの組付端部に可動自在に設けられた可動体を可動させてその一部を配管支持用取付部材へ当接し、当該取付孔と係止手段によって係止状態にある当該組付端部を反組付孔側へ付勢することで、当該組付端部の当該組付孔からの脱抜を防止することを特徴とする配管支持具用ロック機構。
【請求項８】
請求項７に記載の配管支持具用ロック機構を備えたことを特徴とする配管支持具。
【請求項９】
請求項７に記載の配管支持具用ロック機構を備えたことを特徴とする請求項６記載の配管支持具。
【発明の詳細な説明】
【技術分野】
【０００１】
本願発明は、建築構造体から垂下された吊部材に配管を支持する支持バンドを取り付けるための配管支持用取付部材およびそれに関連するものである。
【背景技術】
【０００２】
建築構造体から垂下された吊部材に配管を支持する支持バンドを取り付けるための配管支持用取付部材に関する先行技術文献としては、次のようなものがある。
【先行技術文献】
【特許文献】
【０００３】
【特許文献１】実公平０５−００８３９１号公報
【特許文献２】実公平０７−０１７９０５号公報
【特許文献３】特開平０５−０６０２７２号公報
【特許文献４】特開平０５−３３２４７７号公報
【特許文献５】特開平１１−２１０９３２号公報
【特許文献６】特開２０００−２４０８５２号公報
【特許文献７】特開２００１−２８９３６０号公報
【特許文献８】特開２００１−３４３０８８号公報
【発明の概要】
【発明が解決しようとする課題】
【０００４】
これに対して、本願発明者は、上記した先行技術文献などに開示された従来の配管支持用取付部材とは異なる新規な配管支持用取付部材を提供すべく鋭意試験・研究を行い、本願発明を完成するに至った。
【課題を解決するための手段】
【０００５】
上記目的を達成するために、第１の発明は、垂下された吊部材に配管を支持する支持バンドを取り付けるための配管支持用取付部材であって、当該配管支持用取付部材は、支持バンドを組み付ける略コ字形の取付本体と、その取付本体の上下折曲部に吊部材と係合する係合孔と、その取付本体の垂直基部に係合孔へ吊部材を付勢する付勢材とを備え、当該付勢材は、水平断面略Ｖ字形に形成された弾性体からなり、その反屈曲側の両先端は取付本体の横幅から突出してツマミ部を形成することを特徴としたものである。
第２の発明は、吊部材と接する側縁は吊部材側へ傾斜して係合部を形成することを特徴とした同配管支持用取付部材である。
第３の発明は、当該付勢材は、垂直断面略く字形に形成された弾性体からなり、その上方端部又は／及び下方端部は垂直基部へ固定されるとともに、その頂部を吊部材へ当接させることを特徴とした同配管支持用取付部材である。
第４の発明は、吊部材と当接する頂部の上方又は／及び下方延長線上に入れた略コ字形の切れ込みを吊部材側へ折曲して係合部を形成することを特徴とした同配管支持用取付部材である。
第５の発明は、当該付勢材は、係合孔へ挿通された吊部材を保持する第１湾曲部と保持した吊部材を係合孔へ付勢する第２湾曲部とを有する弾性体からなることを特徴とした同配管支持用取付部材である。
第６の発明は、上記第１から第５の発明に係る配管支持用取付部材に支持バンドを組み付けたことを特徴とする配管支持具である。
第７の発明は、垂下された吊部材に配管を支持する支持バンドを取り付けるための配管支持用取付部材と支持バンドの組み付け状態を維持するための配管支持具用ロック機構であって、当該ロック機構は、配管支持用取付部材に形成された支持バンド組付用の組付孔へ挿入する支持バンドの組付端部に可動自在に設けられた可動体を可動させてその一部を配管支持用取付部材へ当接し、当該取付孔と係止手段によって係止状態にある当該組付端部を反組付孔側へ付勢することで、当該組付端部の当該組付孔からの脱抜を防止することを特徴とする配管支持具用ロック機構である。
第８の発明は、第７の発明に記載の配管支持具用ロック機構を備えたことを特徴とする配管支持具である。
第９の発明は、第７の発明に記載の配管支持具用ロック機構を備えたことを特徴とする第６の発明に記載の配管支持具である。
【発明の効果】
【０００６】
上記した本願発明によれば、以下のような効果を有する。
（１）第１の発明によれば、付勢材がツマミ部を形成していることで、このツマミ部で付勢材を反吊部材側へ収縮させて吊部材を係合孔へ差込みしやすくする。また、第２の発明によれば、付勢材が係合部を形成していることで、付勢材が係合孔へ吊部材を付勢する際にこの係合部が吊部材の溝部と係合してその付勢を確実なものとする。その結果、吊部材への取り付け操作性を向上させるとともに、吊部材への確実な取付固定を実現させる。
（２）第３の発明によれば、弾性体からなる付勢材の頂部が当接する吊部材を係合孔へ付勢し、さらに、第４の発明によれば、付勢材が係合部を形成していることで、付勢材が係合孔へ吊部材を付勢する際にこの係合部が吊部材の溝部と係合してその付勢を確実なものとする。その結果、吊部材への確実な取付固定を実現させる。
（３）また、第１から第４の発明によれば、吊部材のほぼ同一高さ部分に複数方向からの配管支持用取付部材の取付が可能となる。
（４）第５の発明によれば、弾性体からなる付勢材が第１湾曲部で吊部材を保持し、その保持した吊部材を第２湾曲部で係合孔へ付勢し、その結果、吊部材への確実な取付固定を実現させる。また、吊部材への取付操作が１動作で行えるので、操作が容易で、操作性に優れる。
（５）第６の発明によれば、上記した第１から第５の発明に係る配管支持用取付部材に支持バンドを組み付けたことで、支持バンドを吊部材へ確実に取り付けることができる。
（６）第７の発明によれば、支持バンドに当該ロック機構を備えることで、配管支持用取付部材と支持バンドの組み付け状態が確実なものになるとともに、そのロック操作を極めて簡単に行える。
【図面の簡単な説明】
【０００７】
【図１】配管支持用取付部材の第１実施形態を示す説明図（その１）。
【図２】配管支持用取付部材の第１実施形態を示す説明図（その２）。
【図３】配管支持用取付部材の第１実施形態を示す説明図（その３）。
【図４】配管支持用取付部材の第１実施形態を示す説明図（その４）。
【図５】配管支持用取付部材の第２実施形態を示す説明図（その１）。
【図６】配管支持用取付部材の第２実施形態を示す説明図（その２）。
【図７】配管支持用取付部材の第３実施形態を示す説明図（その１）。
【図８】配管支持用取付部材の第３実施形態を示す説明図（その２）。
【図９】配管支持具用ロック機構を示す説明図（その１）。
【図１０】配管支持具用ロック機構を示す説明図（その２）。
【図１１】配管支持具用ロック機構のロック構造を示す説明用断面図。
【発明を実施するための形態】
【０００８】
本願発明の実施形態を図面に基づいて説明する。
図１から図３は、本願発明に係る配管支持用取付部材の第１実施形態を示す説明図である。図１は前方斜視図、図２は後方斜視図となっている。また、図３は分解斜視図となっている。
配管支持用取付部材１０は、天井（例：スラブ）や吊下げ金具（例：クランプ）等の建築構造体から垂下された吊部材としての吊ボルト９０に配管９５を支持する支持バンド７０を取り付けるため部材である。その構造は、支持バンド７０を組み付ける略コ字形の取付本体１１と、その取付本体１１の上下折曲部１２，１４に吊ボルト９０と係合する係合孔１３，１５と、その取付本体１１の垂直基部１６に係合孔１３，１５へ吊ボルト９０を付勢する付勢材２０とを備える。なお、符号７５等は、配管支持具用ロック機構であり、これについては、図９及び図１０で説明する。
【０００９】
当該付勢材２０は、水平断面略Ｖ字形に形成された弾性体からなり、その両先端２１，２２は取付本体１１の横幅から突出してツマミ部２３を形成する。また、吊ボルト９０と接する側縁２４，２６は吊ボルト９０側へ傾斜して係合部２５，２７を形成する。このツマミ部２３や係合部２５，２７は第１実施形態の特徴である。すなわち、ツマミ部２３によって吊ボルト９０への取り付け操作性が向上するとともに、係合部２５，２７によって吊ボルト９０への確実な取付固定が実現できる。
【００１０】
図４は、同第１実施形態を示す説明図であり、付勢材２０による吊ボルト９０への付勢作用を示した説明図となっている。
付勢材２０が係合孔１３，１５へ吊ボルト９０を付勢する際に、付勢材２０の側縁２４，２６の傾斜する係合部２５，２７が吊ボルト９０の溝部と係合して、吊ボルト９０に対する付勢を確実なものとする。すなわち、配管支持用取付部材１０は、吊ボルト９０に対して、係合孔１３，１５（吊ボルト９０と当接する係合孔１３，１５のテーパー部分）と係合部２５，２７の４点で係合している。
【００１１】
図５及び図６は、本願発明に係る配管支持用取付部材の第２実施形態を示す説明図である。図５は配管支持用取付部材の全体斜視図であり、図６は配管支持用取付部材の使用図（支持バンド及び配管は省略）である。
第２実施形態の配管支持用取付部材３０は、付勢材４０が、垂直断面略く字形に形成された弾性体からなり、その上方端部４１は取付本体３１の垂直基部３６へ固定されるとともに、下方端部４２は垂直基部３６へ固定されずにその頂部４３を吊ボルト９０へ当接させる。その他、取付本体５１は第１実施形態のものと同様である。なお、付勢材４０は、下方端部４２が垂直基部３６へ固定されてもよいし（上方端部４１は非固定）、または、上方端部４１と下方端部４２の双方が垂直基部３６へ固定されてもよい。
【００１２】
図６に示す吊ボルト９０への配管支持用取付部材３０の取付固定は、付勢材４０の下方端部４２を反吊ボルト９０側へ押すことで、吊ボルト９０を取付本体３１の係合孔３３，３５へ差込みことができる。そして、付勢材４０の下方端部４２を元に戻すことで、付勢材４０の頂部４３が吊ボルト９０を係合孔３３，３５へ付勢し、取付固定が完了する。このような極めて簡易な操作で、配管支持用取付部材３０を吊ボルト９０へ確実に取付固定できる。なお、付勢材４０の頂部４３の裏面側には、頂部４３による付勢を確実なものとするために、取付本体３１の垂直基部３６に凸状の付勢補助材３８を設けるとよい。また、吊ボルト９０と当接する頂部４３の上方又は／及び下方延長線上に入れた略コ字形の切れ込みを吊ボルト９０側へ折曲して係合部４４，４４を形成してもよい。この係合部４４，４４が吊ボルト９０の溝部と係合してその付勢を確実なものにできる。
【００１３】
図７及び図８は、本願発明に係る配管支持用取付部材の第３実施形態を示す説明図である。図７は配管支持用取付部材の全体斜視図であり、図８は配管支持用取付部材の使用図（支持バンド及び配管は省略）である。
第３実施形態の配管支持用取付部材５０は、付勢材６０が、係合孔５３，５５へ挿通された吊ボルト９０を保持する第１湾曲部６１と保持した吊ボルト９０を係合孔５３，５５へ付勢する第２湾曲部６２とを有する弾性体からなる。なお、取付本体５１に形成された係合孔５３，５５は、第１実施形態のものとは異なり、上折曲部５２及び下折曲部５４の先端側から開孔されている。
【００１４】
図８に示す吊ボルト９０への配管支持用取付部材５０の取付固定は、付勢材６０の第１湾曲部６１を外側へ開くことで、吊ボルト９０を取付本体５１の係合孔５３，５５へ差込みことができる。そして、付勢材６０の第１湾曲部６１を元に戻すことで、付勢材４０の第２湾曲部６２が吊ボルト９０を係合孔５３，５５へ付勢し、取付固定が完了する。このような極めて簡易な操作で（上記操作は１動作で可能である）、配管支持用取付部材５０を吊ボルト９０へ確実に取付固定できる。
【００１５】
また、図７及び図８に示す配管支持用取付部材５０は、第３実施形態にあるように配管を支持するために利用されるだけでなく、その他の利用方法も考えられる。例えば、棒状の２部材の結合部材として利用できる。具体的には、以下の通りである。
（１）配管支持用取付部材（結合部材）５０を背合わせ（取付本体５１の垂直基部外側を当接させる）に取り付けて、それぞれの第１湾曲部６１，６１で棒状部材を保持することで、棒状の２部材を結合させることができる。この時、配管支持用取付部材５０の背合わせを一致又は角度を変えることで、平行する棒状の２部材又はクロスする棒状の２部材の場合いずれの場合にも対応することができる。
（２）また、配管支持用取付部材５０（結合部材）５０単体であっても、結合部材として利用できる。すなわち、第１湾曲部６１で１の棒状部材を保持し、取付本体５１の外側に棒状部材を保持できる保持部を備えることで、棒状の２部材を結合させることができる。或いは、第１湾曲部６１で１の棒状部材を保持し、取付本体５１の内側に棒状部材を保持できる保持部を備えることで、棒状の２部材を結合させることができる（第１湾曲部６１で保持された棒状部材と取付本体５１の間でもう一方の棒状部材が保持される状態になる）。
【００１６】
図９及び図１０は、配管支持具用ロック機構を示す説明図である。図９は同ロック機構（その１）を説明する説明図、図１０は同ロック機構（その２）を説明する説明図である。なお、同ロック機構は、図９や図１０に示すものに限定されない。
まず、図９に示すロック機構７５は、支持バンド７０の組付端部７１に回転自在に設けられた板状の可動体７２と、その可動体７２を操作するように形成された操作片７３とを備える（Ａ）。そして、組付端部７１の組付孔１７への挿入後、操作片７３を使用して可動体７２を回転させる（Ｂ）。回転した可動体７２はその可動体７２の一部が組付孔１７周囲の垂直基部１６へ当接し、取付孔１７と係止手段７６によって係止状態にある組付端部７１を反組付孔側へ付勢することで、組付端部７１の組付孔１７からの脱抜を防止できる（Ｃ）。
【００１７】
同ロック機構を解除する場合には、これと逆の操作（Ｃ→Ｂ→Ａ）を行えばよい。このように、可動体７２の回転に操作片７３を利用し、片手でロック機構７５の操作を行える。また、可動体７２の回転範囲を制御するために、回転制御突起７４を設けるとともに、回転した可動体７２をその位置で固定するために、回転固定突起７７，７７とそれに対応する嵌合孔７８を設けるとよい。
【００１８】
次に、図１０に示す同ロック機構８０は、操作片を可動体７２に起立するように形成された起立片７９としたことに特徴がある。それ以外については、図９に示す同ロック機構７５と同様であるので、その説明を省略する。なお、可動体７２は、図９や図１０に示す回転自在に可動するものの他に、摺動自在（スライド自在）に可動するものや、折曲自在に可動するものなど、可動することによって少なくともその一部が組付孔１７周囲の垂直基部１６へ当接するものであればよい。
【００１９】
図９や図１０に示す同ロック機構７５及び同ロック機構８０は、配管支持用取付部材に支持バンドを組み付ける配管支持具に広く利用できる。もちろん、上記する第１実施形態乃至第３実施形態に示す配管支持具にも利用できるものである。
【００２０】
図１１は、図９及び図１０で説明した配管支持具用ロック機構のロック構造を示す説明用断面図である。
まず、図１１（Ａ）に示すように、配管支持具用ロック機構７５，８０は、配管支持用取付部材に形成された支持バンド組付用の取付孔１７へ、支持バンド７０の組付端部７１を挿入する。そして、組付端部７１に形成された係止孔部７６ｂと、取付孔１７に形成されたＬ字形に折曲する係止凸部７６ａとによって構成される係止手段によって、取付孔１７と組付端部７１は係止状態となる。
【００２１】
次に、図１１（Ｂ）に示すように、支持バンド７０の組付端部７１に設けられた可動体７２を（矢印方向へ）可動させて配管支持用取付部材へ当接し、組立端部７１を反組付孔側（矢印方向）へ付勢する。これによって、組付端部７１に形成された係止孔部７６ｂの端部が係止凸部７６ａの折曲する先端と接触状態に維持され、脱抜不可能に係止される。
【産業上の利用可能性】
【００２２】
本願発明に係る吊り配管支持用取付部材は、吊バンドへの取付部材として広く利用できるものであり、配管を支持する支持バンドを吊バンドへ取り付けるために利用できる。
【符号の説明】
【００２３】
１０  配管支持用取付部材（第１実施形態）
１１  取付本体
１２  上折曲部
１３  係合孔
１４  下折曲部
１５  係合孔
１６  垂直基部
１７  組付孔
２０  付勢材
２１  先端
２２  先端
２３  ツマミ部
２４  帯体側縁
２５  係合部
２６  帯体側縁
２７  係合部
３０  配管支持用取付部材（第２実施形態）
３１  取付本体
３３  係合孔
３５  係合孔
３６  垂直基部
３８  付勢補助材
４０  付勢材
４１  上方端部
４２  下方端部
４３  頂部
４４  係合部
５０  配管支持用取付部材（第３実施形態）
５１  取付本体
５２  上折曲部
５３  係合孔
５４  下折曲部
５５  係合孔
６０  付勢材
６１  第１湾曲部
６２  第２湾曲部
７０  支持バンド
７１  組付端部
７２  回転体
７３  操作片
７４  回転制御突起
７５  配管支持具用ロック機構
７６  係止手段（７６ａ  係止凸部，７６ｂ  係止孔部）
７７  回転固定突起
７８  嵌合孔
７９  操作片
８０  配管支持具用ロック機構
９０  吊ボルト
９５  配管
【図１】
2010223241.tif 000003
【図２】
2010223241.tif 000004
【図３】
2010223241.tif 000005
【図４】
2010223241.tif 000006
【図５】
2010223241.tif 000007
【図６】
2010223241.tif 000008
【図７】
2010223241.tif 000009
【図８】
2010223241.tif 000010
【図９】
2010223241.tif 000011
【図１０】
2010223241.tif 000012
【図１１】
2010223241.tif 000013